(57)【要約】      （修正有）【課題】使用者による宛先の誤指定を抑制することができる通信装置および通信方法を提供すること。【解決手段】今回送信する宛先としてユーザーが指定した「赤井商事」に、前回送信した送信済画像５２ａがＬＣＤ４１に表示される。ユーザーは、その表示された送信済画像５２ａと、原稿載置台に載置されている今回送信をしようとしている原稿の内容とを比較して、自己が指定した宛名「赤井商事」が誤指定であるかを認識することができる。【選択図】図３
2008131223.tif 000002
【特許請求の範囲】
【請求項１】
宛先によって特定される相手側装置と通信を行う通信装置において、
使用者からの指示を入力する入力手段と、
その入力手段を介して使用者から指示された宛先によって特定される相手側装置にデータを送信する送信手段と、
その送信手段によって送信した送信済データと宛先とを対応付けて記憶する送信済データ記憶手段と、
所定情報を出力する出力手段と、
前記出力手段に所定情報を出力させる出力制御手段とを備え、
前記出力制御手段は、前記送信済データ記憶手段に記憶されている送信済データに基づいて、送信済データが示す送信済情報と、その送信済情報を送信した宛先とを対応つけて出力させる出力制御処理を行う手段であり、
前記出力制御処理は、前記入力手段が使用者からの宛先の指示を受けられる状態で、且つ、前記送信手段がデータを送信する前に実行されることを特徴とする通信装置。
【請求項２】
前記送信済データ記憶手段には、前記送信済データの送信順番を示す順番データが記憶され、
前記出力制御手段は、同一の宛先について前記送信済情報が２以上あった場合に、その２以上の送信済情報のうち、最新の送信済情報を、他の送信済情報よりも優先して出力させることを特徴とする請求項１に記載の通信装置。
【請求項３】
前記出力制御手段は、前記送信済情報のうち、前記入力手段を介して使用者から指示された宛先に対応する送信済情報を、他の送信済情報よりも優先して出力させることを特徴とする請求項１又は２に記載の通信装置。
【請求項４】
少なくとも２以上の宛先を含む宛先データを記憶する宛先データ記憶手段を備え、
前記出力制御手段は、前記出力手段に出力させる所定情報として、前記送信手段によってデータを送信する前に、前記宛先データ記憶手段に記憶されている宛先データに基づいて、その宛先データに含まれる少なくとも２以上の宛先を出力させるとともに、その出力された少なくとも２以上の宛先の中から前記入力手段を介して使用者が指示した宛先を示す指示情報と、その指示情報が示す宛先に対応する前記送信済情報とを、他の送信済情報よりも優先して出力させることを特徴とする請求項１から３のいずれかに記載の通信装置。
【請求項５】
前記出力制御手段は、出力された少なくとも２以上の宛先の中から前記入力手段を介して使用者が所定の宛先を指示する毎に、前記指示情報と、その指示情報が示す宛先に対応する前記送信済情報とを切換えて出力させることを特徴とする請求項４に記載の通信装置。
【請求項６】
原稿を載置する載置台と、
その載置台に載置されている原稿の載置台側とは反対側の読取面に記録されている情報を、前記送信手段によって送信するデータとして読取る読取手段とを備え、
前記出力制御手段は、前記読取手段によって前記読取面に記録されている情報を読取る前に、前記所定情報を出力させることを特徴とする請求項１から５のいずれかに記載の通信装置。
【請求項７】
前記送信済データ記憶手段には、前記送信済データに対して、その送信済データを前記読取手段によって読取る際に前記載置台に載置させた原稿の向きが対応付けて記憶されており、
前記出力制御手段は、前記送信済データ記憶手段に記憶されている原稿の向きと同じ向きで前記送信済情報を出力させることを特徴とする請求項６に記載の通信装置。
【請求項８】
前記載置台に載置された原稿の向きを検出する検出手段を備え、
前記送信済データ記憶手段には、前記送信済データに対して、前記検出手段によって検出された原稿の向きが対応付けて記憶されており、
前記出力制御手段は、前記送信済データ記憶手段に記憶されている原稿の向きが、これから送信するために前記載置台に載置されている原稿の向きと同じ向きになるように前記送信済情報を出力させることを特徴とする請求項６に記載の通信装置。
【請求項９】
前記載置台に載置されている原稿の読取面の少なくとも一部を覆う透明な被覆部材を備えていることを特徴とする請求項６から８のいずれかに記載の通信装置。
【請求項１０】
前記載置台に載置されている原稿を搬送する搬送装置と、
前記載置台に載置されている状態の原稿の上流側を露出させつつ、他の部分を覆う被覆部材と、
前記読取手段によって読取った原稿の読取りデータの上流側と下流側とを１８０度回転させるデータ回転手段とを備え、
前記載置台に載置されている状態の原稿の上流側は、前記被覆部材に覆われておらず、
前記送信手段は前記データ回転手段によって１８０度回転された読取面の読取りデータを送信することを特徴とする請求項６から８のいずれかに記載の通信装置。
【請求項１１】
前記載置台に載置されている原稿を搬送する搬送装置と、
前記載置台に載置されている状態の原稿を覆う被覆部材とを備え、
前記載置台に載置されている状態の原稿の上流側は、前記被覆部材に覆われておらず、
前記搬送装置は、前記原稿が上流側から読み取られるように原稿を搬送する
ことを特徴とする請求項６から８のいずれかに記載の通信装置。
【請求項１２】
前記出力制御手段は、前記送信済情報のうち、前記被覆部材から露出した部分だけを出力させることを特徴とする請求項６から８、１０または１１のいずれかに記載の通信装置。
【請求項１３】
前記送信済データ記憶手段には、前記送信済データに、その送信済データを送信した際の送信条件が対応付けて記憶されており、
前記出力制御手段は、前記送信済情報に対して、前記送信条件を対応つけて出力させることを特徴とする請求項１から１２のいずれかに記載の通信装置。
【請求項１４】
少なくとも２以上の宛先を含む宛先データを記憶する宛先データ記憶手段と、  その宛先データ記憶手段に記憶されている前記宛先データが示す宛先一覧と、前記送信済情報と、その送信済情報に対応する前記送信条件とが前記出力手段に並んで出力されている状態で、前記送信済情報を拡大して出力させるように指示する指示手段とを備え、
前記出力制御手段は、前記指示手段からの指示に応じて、出力されている前記宛先一覧の大きさを維持しつつ、前記送信条件の大きさを小さく又は非出力として、前記送信済情報を拡大して出力させることを特徴とする請求項１３に記載の通信装置。
【請求項１５】
前記出力制御手段によって出力される前記送信条件について変更がないかを判断する判断手段と、
その判断手段によって前記送信条件について変更がないと判断した場合、前記送信手段は、前記送信条件と同じ送信条件でデータを送信することを特徴とする請求項１３又は１４に記載の通信装置。
【請求項１６】
前記送信手段によって送信するデータとして原稿に記録されている情報を読取る読取手段を備え、
前記出力制御手段は、前記読取手段によって読取ったデータが示す送信予定情報を、前記送信情報のうち、前記送信予定情報を送信する宛先と同一の宛先に対応つけられている送信済情報と一緒に出力させることを特徴とする請求項１から１５のいずれかに記載の通信装置。
【請求項１７】
前記送信手段は、前記入力手段を介して使用者から指示された宛先の相手側装置に送信するデータをファクシミリ手順に沿って送信することを特徴とする請求項１から１６のいずれかに記載の通信装置。
【請求項１８】
前記出力手段は、矩形状に形成されており、その短辺に対する長辺の比率は、矩形状の原稿の短辺に対する長辺の比率よりも大きく構成されていることを特徴とする請求項１から１７のいずれかに記載の通信装置。
【請求項１９】
宛先によって特定される相手側装置と通信を行う通信方法において、
使用者から指示された宛先の相手側装置にデータを送信する送信工程と、
その送信工程によって送信した送信済データを、その送信先の宛先と対応付けて記憶する送信済データ記憶工程と、
出力手段に所定情報を出力させる出力工程とを備え、
前記出力工程は、前記送信済データ記憶工程において記憶した送信済データに基づいて、送信済データが示す送信済情報と、その送信済情報を送信した宛先とを対応つけて出力させる出力制御処理を行う工程であり、
前記出力制御処理は、前記入力手段が使用者からの宛先の指示を受けられる状態で、且つ、前記送信手段がデータを送信する前に実行されることを特徴とする通信方法。
【発明の詳細な説明】
【技術分野】
【０００１】
本発明は通信装置および通信方法に関し、特に、使用者による宛先の誤指定を抑制することができる通信装置および通信方法に関するものである。
【背景技術】
【０００２】
従来より、宛先によって特定される相手側装置と通信を行う通信装置の一つとして、ファクシミリ装置が知られている。このファクシミリ装置に関連し、次の特許文献１には、ファクシミリ装置にファックスデータの本文部分を記憶させておき、そのファックスデータの本文部分を後で再利用できるようにする技術が開示されている。
【特許文献１】特開２００２−２９０６５８号公報（段落第００３４〜００３７、図７等）
【発明の開示】
【発明が解決しようとする課題】
【０００３】
しかしながら、特許文献１に記載されているファクシミリ装置を含め、従来のファクシミリ装置は、使用者が指定した宛先にファクシミリデータが送信される。そのため、指定された宛先が誤っていた場合には、正しい宛先に送信されないばかりでなく、かかる場合には、第３者に無用な情報が見られてしまうというセキュリティ上の問題にも繋がることになる。すなわち、宛先は正しく指定する必要がある。
【０００４】
ところで、使用者が正しい宛先を指定できるかは、使用者自身の注意力に依存する部分が大きい。なぜならば、宛先とは、使用者によってファクシミリ装置が記憶する電話帳から選択される宛先名として指定されたり、使用者によってファクシミリ装置に直接入力されるＦＡＸ番号として指定されるものだからである。ここで、宛先としての宛先名やＦＡＸ番号には、似通ったものが存在することはよくある。つまり、使用者がいかに注意していたとしても、似通った宛先名やＦＡＸ名の中から、常に、正しく宛先を指定するのは困難であった。
【０００５】
本発明は上述した問題点を解決するためになされたものであり、使用者による宛先の誤指定を抑制することができる通信装置および通信方法を提供することを目的としている。
【課題を解決するための手段】
【０００６】
この目的を達成するために、請求項１記載の通信装置は、宛先によって特定される相手側装置と通信を行うものであって、使用者からの指示を入力する入力手段と、その入力手段を介して使用者から指示された宛先によって特定される相手側装置にデータを送信する送信手段と、その送信手段によって送信した送信済データと宛先とを対応付けて記憶する送信済データ記憶手段と、所定情報を出力する出力手段と、前記出力手段に所定情報を出力させる出力制御手段とを備え、前記出力制御手段は、前記送信済データ記憶手段に記憶されている送信済データに基づいて、送信済データが示す送信済情報と、その送信済情報を送信した宛先とを対応つけて出力させる出力制御処理を行う手段であり、前記出力制御処理は、前記入力手段が使用者からの宛先の指示を受けられる状態で、且つ、前記送信手段がデータを送信する前に実行される。
【０００７】
請求項２記載の通信装置は、請求項１に記載の通信装置において、前記送信済データ記憶手段には、前記送信済データの送信順番を示す順番データが記憶され、前記出力制御手段は、同一の宛先について前記送信済情報が２以上あった場合に、その２以上の送信済情報のうち、最新の送信済情報を、他の送信済情報よりも優先して出力させる。
【０００８】
請求項３記載の通信装置は、請求項１又は２に記載の通信装置において、前記出力制御手段は、前記送信済情報のうち、前記入力手段を介して使用者から指示された宛先に対応する送信済情報を、他の送信済情報よりも優先して出力させる。
【０００９】
請求項４記載の通信装置は、請求項１から３のいずれかに記載の通信装置において、少なくとも２以上の宛先を含む宛先データを記憶する宛先データ記憶手段を備え、前記出力制御手段は、前記出力手段に出力させる所定情報として、前記送信手段によってデータを送信する前に、前記宛先データ記憶手段に記憶されている宛先データに基づいて、その宛先データに含まれる少なくとも２以上の宛先を出力させるとともに、その出力された少なくとも２以上の宛先の中から前記入力手段を介して使用者が指示した宛先を示す指示情報と、その指示情報が示す宛先に対応する前記送信済情報とを、他の送信済情報よりも優先して出力させる。
【００１０】
請求項５記載の通信装置は、請求項４に記載の通信装置において、前記出力制御手段は、出力された少なくとも２以上の宛先の中から前記入力手段を介して使用者が所定の宛先を指示する毎に、前記指示情報と、その指示情報が示す宛先に対応する前記送信済情報とを切換えて出力させる。
【００１１】
請求項６記載の通信装置は、請求項１から５のいずれかに記載の通信装置において、原稿を載置する載置台と、その載置台に載置されている原稿の載置台側とは反対側の読取面に記録されている情報を、前記送信手段によって送信するデータとして読取る読取手段とを備え、前記出力制御手段は、前記読取手段によって前記読取面に記録されている情報を読取る前に、前記所定情報を出力させる。
【００１２】
請求項７記載の通信装置は、請求項６に記載の通信装置において、前記送信済データ記憶手段には、前記送信済データに対して、その送信済データを前記読取手段によって読取る際に前記載置台に載置させた原稿の向きが対応付けて記憶されており、前記出力制御手段は、前記送信済データ記憶手段に記憶されている原稿の向きと同じ向きで前記送信済情報を出力させる。
【００１３】
請求項８記載の通信装置は、請求項６に記載の通信装置において、前記載置台に載置された原稿の向きを検出する検出手段を備え、前記送信済データ記憶手段には、前記送信済データに対して、前記検出手段によって検出された原稿の向きが対応付けて記憶されており、前記出力制御手段は、前記送信済データ記憶手段に記憶されている原稿の向きが、これから送信するために前記載置台に載置されている原稿の向きと同じ向きになるように前記送信済情報を出力させる。
【００１４】
請求項９記載の通信装置は、請求項６から８のいずれかに記載の通信装置において、前記載置台に載置されている原稿の読取面の少なくとも一部を覆う透明な被覆部材を備えている。
【００１５】
請求項１０記載の通信装置は、請求項６から８のいずれかに記載の通信装置において、前記載置台に載置されている原稿を搬送する搬送装置と、前記載置台に載置されている状態の原稿の上流側を露出させつつ、他の部分を覆う被覆部材と、前記読取手段によって読取った原稿の読取りデータの上流側と下流側とを１８０度回転させるデータ回転手段とを備え、前記載置台に載置されている状態の原稿の上流側は、前記被覆部材に覆われておらず、前記送信手段は前記データ回転手段によって１８０度回転された読取面の読取りデータを送信する。
【００１６】
請求項１１記載の通信装置は、請求項６から８のいずれかに記載の通信装置において、前記載置台に載置されている原稿を搬送する搬送装置と、前記載置台に載置されている状態の原稿を覆う被覆部材とを備え、前記載置台に載置されている状態の原稿の上流側は、前記被覆部材に覆われておらず、前記搬送装置は、前記原稿が上流側から読み取られるように原稿を搬送する。
【００１７】
請求項１２記載の通信装置は、請求項６から８、１０または１１のいずれかに記載の通信装置において、前記出力制御手段は、前記送信済情報のうち、前記被覆部材から露出した部分だけを出力させる。
【００１８】
請求項１３記載の通信装置は、請求項１から１２のいずれかに記載の通信装置において、前記送信済データ記憶手段には、前記送信済データに、その送信済データを送信した際の送信条件が対応付けて記憶されており、前記出力制御手段は、前記送信済情報に対して、前記送信条件を対応つけて出力させる。
【００１９】
請求項１４記載の通信装置は、請求項１３に記載の通信装置において、少なくとも２以上の宛先を含む宛先データを記憶する宛先データ記憶手段と、その宛先データ記憶手段に記憶されている前記宛先データが示す宛先一覧と、前記送信済情報と、その送信済情報に対応する前記送信条件とが前記出力手段に並んで出力されている状態で、前記送信済情報を拡大して出力させるように指示する指示手段とを備え、前記出力制御手段は、前記指示手段からの指示に応じて、出力されている前記宛先一覧の大きさを維持しつつ、前記送信条件の大きさを小さく又は非出力として、前記送信済情報を拡大して出力させる。
【００２０】
請求項１５記載の通信装置は、請求項１３又は１４に記載の通信装置において、前記出力制御手段によって出力される前記送信条件について変更がないかを判断する判断手段と、その判断手段によって前記送信条件について変更がないと判断した場合、前記送信手段は、前記送信条件と同じ送信条件でデータを送信する。
【００２１】
請求項１６記載の通信装置は、請求項１から１５のいずれかに記載の通信装置において、前記送信手段によって送信するデータとして原稿に記録されている情報を読取る読取手段を備え、前記出力制御手段は、前記読取手段によって読取ったデータが示す送信予定情報を、前記送信情報のうち、前記送信予定情報を送信する宛先と同一の宛先に対応つけられている送信済情報と一緒に出力させる。
【００２２】
請求項１７記載の通信装置は、請求項１から１６のいずれかに記載の通信装置において、前記送信手段は、前記入力手段を介して使用者から指示された宛先の相手側装置に送信するデータをファクシミリ手順に沿って送信する。
【００２３】
請求項１８記載の通信装置は、請求項１から１７のいずれかに記載の通信装置において、前記出力手段は、矩形状に形成されており、その短辺に対する長辺の比率は、矩形状の原稿の短辺に対する長辺の比率よりも大きく構成されている。
【００２４】
請求項１９記載の通信方法は、宛先によって特定される相手側装置と通信を行うものであって、使用者から指示された宛先の相手側装置にデータを送信する送信工程と、その送信工程によって送信した送信済データを、その送信先の宛先と対応付けて記憶する送信済データ記憶工程と、出力手段に所定情報を出力させる出力工程とを備え、前記出力工程は、前記送信済データ記憶工程において記憶した送信済データに基づいて、送信済データが示す送信済情報と、その送信済情報を送信した宛先とを対応つけて出力させる出力制御処理を行う工程であり、前記出力制御処理は、前記入力手段が使用者からの宛先の指示を受けられる状態で、且つ、前記送信手段がデータを送信する前に実行される。
【発明の効果】
【００２５】
請求項１記載の通信装置によれば、使用者が宛先を謝って選択することを未然に防ぐことができる、という効果がある。なぜならば、使用者が宛先の指示を入力しようとするときに、以前送信したデータを示す情報と、その送信済情報を送信した宛先とが対応つけて出力されるからである。つまり、使用者は、以前送信したデータを一目で認識できる。データを送信する宛先を指定する前の使用者は、これから送信しようとするデータがどのような内容のデータであるのかをだいたい認識している状態である（これから送信しようとするデータの原稿を手に持っていることもある）。このような状態で、使用者は、以前、どの宛先に、どのようなデータを送信したかを知りながら、今回の宛先を指定することができる。このことは、宛先が誤って指定されるのを抑制することにつながる。ここで、例えば、注文表や定期レポートなどは、同じ宛先に送信することが多い。このような文書は、似通ったフォーマットであることが多い。かかる場合には、特にこのような場合、使用者は、以前送信したデータと今回送信するデータとが似たフォーマットであるかを比較しつつ、今回の宛先を指定することができるので、宛先が誤って指定されるのを抑制することができるという効果がある。
【００２６】
請求項２記載の通信装置によれば、請求項１に記載の通信装置の奏する効果に加え、使用者に最新の送信済情報を一目で認識させることができ、ひいては、宛先が誤って指定されるのを抑制することができるという効果がある。複数の送信済情報を一度に表示させた場合には、一つの送信済情報を小さく表示せざるを得ない。このため、使用者は、送信済情報を見ても、送信済み情報が小さすぎるがために、これから送信しようとするデータと類似するかを見比べられないかもしれない。複数の送信済み情報が、大きさが限られた表示装置に表示された場合、このことは特に顕著な問題となる。大きさが限られた表示装置とは、例えば複合機の表示パネルなどが該当する。一方、使用者は、最新の送信済データについて印象を強く持っている可能性が高い。ここで、最新の送信済情報が優先して出力されていると、使用者は、印象を強く持っている最新の送信済みデータを一見して認識することができる。これにより宛先が誤って指定されるのを抑制する効果が得られる。なお、例えば、最新の送信済み情報を他の送信済み情報よりも大きく表示させたり、最新の送信済み情報だけを表示させたりすることで、最新の送信済み情報を優先して出力することになる。また、最も最新の送信済情報が今回送信予定の原稿と似通った可能性も高いため、最も最新の送信済情報を他の送信済情報よりも優先して表示させることで、使用者にストレスを与えにくく、宛先が誤って指定されるのを抑制することができるという効果がある。
【００２７】
請求項３記載の通信装置によれば、請求項１又は２に記載の通信装置の奏する効果に加え、使用者に入力手段を介して使用者から指示された宛先に対応する送信済情報を一目で認識させることができるという効果がある。入力手段を介して使用者から指示された宛先に対応する送信済情報と、使用者から指示された宛先とは無関係の宛先の送信済情報とを一緒に表示させた場合には、一つの送信済情報を小さく表示せざるを得ない。このため、使用者は、送信済情報を見ても、送信済み情報が小さすぎるがために、これから送信しようとするデータと類似するかを見比べられないかもしれない。複数の送信済み情報が、大きさが限られた表示装置に表示された場合、このことは特に顕著な問題となる。大きさが限られた表示装置とは、例えば複合機の表示パネルなどが該当する。一方、使用者が、使用者が指示した宛先に対応する送信済情報が知りたいという可能性は極めて高い。ここで、使用者から指示された宛先に対応する送信済情報が、優先して出力されていると、使用者は、指示した宛先に対応する送信済みデータを一目で認識することができる。これにより、宛先が誤って指定されるのを抑制する効果得られる。なお、例えば、使用者が指示した宛先に対応する送信済み情報を他の送信済む情報よりも大きく表示させたり、使用者が指示した宛先に対応する送信済み情報だけを表示させたりすることで、使用者が指示した宛先に対応する送信済み情報を優先して出力することになる。また、使用者にとっては、使用者が指示した宛先に対応する送信済情報が知りたい可能性が極めて高く、その送信済情報を他の送信済情報よりも優先して表示させることで、使用者にストレスを与えにくく、宛先が誤って指定されるのを抑制することができるという効果がある。
【００２８】
請求項４記載の通信装置によれば、請求項１から３のいずれかに記載の通信装置の奏する効果に加え、使用者に指示した宛先と、その宛先に対応する送信済情報とを対応させながら、今回の宛先を指定させることができ、ひいては、宛先が誤って指定されるのを抑制することができるという効果がある。特に、似通った宛先が複数表示される場合には、宛先が誤って指定される危険性が高く、似通った宛先が複数表示される場合であっても、宛先が誤って指定されるのを抑制することができるという効果がある。
【００２９】
請求項５記載の通信装置によれば、請求項４に記載の通信装置の奏する効果に加え、使用者が要求する送信済情報を簡単且つ速やかに出力させることができ、ひいては、宛先が誤って指定されるのを抑制することができるという効果がある。
【００３０】
請求項６記載の通信装置によれば、請求項１から５のいずれかに記載の通信装置の奏する効果に加え、出力制御手段によって出力手段に出力される前記所定情報は、読取手段によって読取面に記録されている情報が読取られる前に出力される。よって、使用者は、載置台に原稿を載置させたままの状態で、原稿の読取面に記録されている情報と、送信済情報とを直接に見比べることができるので、見比べ易い、ひいては、宛先が誤って指定されるのを抑制することができるという効果がある。
【００３１】
請求項７記載の通信装置によれば、請求項６に記載の通信装置の奏する効果に加え、原稿の読取面に記録されている情報と、送信済情報とを同じ向きで、容易に見比べることができ、宛先が誤って指定されるのを抑制することができるという効果がある。  
【００３２】
請求項８記載の通信装置によれば、請求項６に記載の通信装置の奏する効果に加え、原稿の読取面に記録されている情報と、送信済情報とを同じ向きで、容易に見比ることができ、宛先が誤って指定されるのを抑制することができるという効果がある。さらには、使用者は、載置台に載置させた原稿を視認した姿勢のまま、載置台に載置させた原稿と同じ向きで出力される送信済情報を無理なく視認できる。このため、使用者にストレスを極力かけずに済む。
【００３３】
請求項９記載の通信装置によれば、請求項６から８のいずれかに記載の通信装置の奏する効果に加え、その被覆部材に覆われている部分があったとしても、原稿の全情報を視認することができるので、送信済情報とを見比べ易く、宛先が誤って指定されるのを抑制することができるという効果がある。また、原稿の読取面に埃や塵が付着するのを抑制することができる。
【００３４】
請求項１０記載の通信装置によれば、請求項６から８のいずれかに記載の通信装置の奏する効果に加え、原稿の宛先、原稿の特徴的部分等を外部から視認することができ、今回送信予定の原稿と送信済情報とを見比べ易く、宛先が誤って指定されるのを抑制することができる。また、原稿を本来の状態でセットした場合と同じ態様で相手側装置にデータを送信することができるという効果がある。また、載置台に載置されている状態で被覆部材によって覆われている原稿の他の部分に埃や塵が付着するのを抑制することができる。宛先や原稿の特徴的部分等は、原稿の先頭側に記録されているのが一般的である。また、一般的な送信側装置それぞれは、原稿の読取りデータを送信する場合に、相手側装置に原稿の先頭側と末尾側を認識させるために、標準的な手順でデータを送信する。例えば、送信側装置は原稿を読み取った側のデータから相手側装置に送信するなどである。このようにすることで、相手側装置は、データのうち受信を先に行った側を先頭側だと認識することができる。よって、この手順でデータを送信するならば、原稿の先頭側が先に読み取られるように原稿載置台おかれることになる。この状態では、原稿が被覆部材に覆われ外部から視認することはできない。しかし、本願発明の技術では、相手側装置には、データ回転手段によって１８０度回転された読取面の読取りデータが送信される。即ち、載置台に載置されている状態から１８０度回転させた状態のデータが送信される。よって、原稿を本来の状態とは１８０度回転させた状態でセットすることで、原稿を外部から視認させることができる。
【００３５】
請求項１１記載の通信装置によれば、請求項６から８のいずれかに記載の通信装置の奏する効果に加え、原稿の宛先、原稿の特徴的部分等を外部から視認することができ、今回送信予定の原稿と送信済情報とを見比べ易く、宛先が誤って指定されるのを抑制することができる。また、原稿を本来の状態でセットした場合と同じ態様で相手側装置にデータを送信することができるという効果がある。また、載置台に載置されている状態で被覆部材によって覆われている原稿の他の部分に埃や塵が付着するのを抑制することができる。宛先や原稿の特徴的部分等は、原稿の先頭側に記録されているのが一般的である。また、一般的な送信側装置それぞれは、原稿の読取りデータを送信する場合に、相手側装置に原稿の先頭側と末尾側を認識させるために、標準的な手順でデータを送信する。例えば、送信側装置は原稿を読み取った側のデータから相手側装置に送信するなどである。このようにすることで、相手側装置は、データのうち受信を先に行った側を先頭側だと認識することができる。よって、この手順でデータを送信するならば、原稿の先頭側が先に読み取られるように原稿載置台おかれることになる。この状態では、原稿が被覆部材に覆われ外部から視認することはできない。しかし、本願発明の技術では、搬送装置よって原稿が上流側から読み取られるように搬送されるので、相手側装置には、載置台に載置されている状態から１８０度回転させた状態のデータが送信される。よって、原稿を本来の状態とは１８０度回転させた状態でセットすることで、原稿を外部から視認させることができる。
【００３６】
請求項１２記載の通信装置によれば、請求項６から８、１０または１１のいずれかに記載の通信装置の奏する効果に加え、被覆部材と原稿に記録されている情報との位置関係からも載置台に載置されている原稿と送信済画像とを同一の形状で見比べることができるので、両者を見比べ易く、宛先が誤って指定されるのを抑制することができるという効果がある。
【００３７】
請求項１３記載の通信装置によれば、請求項１から１２のいずれかに記載の通信装置の奏する効果に加え、送信済情報に加え、送信条件も一緒に確認することができるので、送信済情報の送信条件を容易に確認することができるという効果がある。
【００３８】
請求項１４記載の通信装置によれば、請求項１３に記載の通信装置の奏する効果に加え、限られた表示領域内で、宛先一覧と送信済情報とを表示させることができるという効果がある。
【００３９】
請求項１５記載の通信装置によれば、請求項１３又は１４に記載の通信装置の奏する効果に加え、先に設定した送信条件を再利用することで、使用者が希望する送信条件を簡単に設定できるという効果がある。同じ宛先に、似通ったデータを送信することが多いため、先に送信した送信条件と同じ送信条件で送信できることは有効である。
【００４０】
請求項１６記載の通信装置によれば、請求項１から１５のいずれかに記載の通信装置の奏する効果に加え、読取手段によって読取ったデータが示す送信予定情報と、その送信予定情報を送信する宛先と同一の宛先に対応つけられている送信済情報とを、同じレベルで見比べることができるので、見比べ易く、宛先が誤って指定されるのを抑制することができるという効果がある。
【００４１】
請求項１７記載の通信装置によれば、請求項１から１６のいずれかに記載の通信装置の奏する効果に加え、特にデータをファクシミリデータとして送信する場合に、宛先が誤って指定されるのを抑制することができるという効果がある。ファクシミリ装置が表示部を備えることは、家庭やオフィスでの使い勝手を考えると有効である。また、家庭やオフィスでの限られた空間での使用を考えると、表示部はある程度までの大きさとしたほうが有効であると考えられる。このような特徴を持つファクシミリ装置が、請求項１から１５に記載したような構成をとることは、特に有効であると考えられる。
【００４２】
請求項１８記載の通信装置によれば、請求項１から１７のいずれかに記載の通信装置の奏する効果に加え、所定の縮小率で原稿を出力手段に出力させる場合に、原稿の短辺が出力手段の短辺と平行で且つ最大（出力手段の短辺と略同じサイズ）になるように出力させた場合であっても、出力手段に表示されている原稿の長辺方向において所定の大きさのスペースを確保することができ、他の情報を原稿と並べて出力させることができるという効果がある。
【００４３】
請求項１９記載の通信方法によれば、使用者が宛先を謝って選択することを未然に防ぐことができる、という効果がある。なぜならば、使用者が宛先の指示を入力しようとするときに、以前送信したデータを示す情報と、その送信済情報を送信した宛先とが対応つけて出力されるからである。つまり、使用者は、以前送信したデータを一目で認識できる。データを送信する宛先を指定する前の使用者は、これから送信しようとするデータがどのような内容のデータであるのかをだいたい認識している状態である（これから送信しようとするデータの原稿を手に持っていることもある）。このような状態で、使用者は、以前、どの宛先に、どのようなデータを送信したかを知りながら、今回の宛先を指定することができる。このことは、宛先が誤って指定されるのを抑制することにつながる。ここで、例えば、注文表や定期レポートなどは、同じ宛先に送信することが多い。このような文書は、似通ったフォーマットであることが多い。かかる場合には、特にこのような場合、使用者は、以前送信したデータと今回送信するデータとが似たフォーマットであるかを比較しつつ、今回の宛先を指定することができるので、宛先が誤って指定されるのを抑制することができるという効果がある。
【発明を実施するための最良の形態】
【００４４】
以下、本発明の好ましい実施例について、添付図面を参照して説明する。図１は、本発明（通信装置）の実施例としての複合機１の外観構成を示す斜視図である。複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、スキャナ機能、コピー機能、ファクシミリ機能を備えている。
【００４５】
また、複合機１は、ＵＳＢメモリ、デジタルカメラ、パーソナルコンピュータ等の外部装置と接続されて外部装置から受け取ったデータを記録用紙に記録したりする機能をそなえる。また、外部装置から受け取ったデータを操作パネル４上の液晶ディスプレイ（ＬＣＤ：Ｌｉｑｕｉｄ  Ｃｒｙｓｔａｌ  Ｄｉｓｐｌａｙ）４１に表示する機能をも有している。
【００４６】
スキャナ３は、ＦＢＳ（Ｆｌａｔｂｅｄ  Ｓｃａｎｎｅｒ）として機能する原稿読取台６と、原稿読取り第６に対する原稿カバー８とを備える。原稿カバー８は、自動原稿搬送機構（ＡＤＦ：Ａｕｔｏ  Ｄｏｃｕｍｅｎｔ  Ｆｅｅｄｅｒ、以下「ＡＤＦ」という。）７を備える。原稿読取台６の上面にはプラテンガラスが配設されている。原稿読取台６の内部には、図示しない画像読取ユニットが内蔵されている。このように構成されたスキャナ３では、ＦＢＳあるいはＡＤＦを用いて原稿の画像読取りが行われる。
【００４７】
ＡＤＦ７の手前側には、原稿供排紙部９が位置している。原稿供排紙部９は、図示しない原稿載置台によって上下２段の空間に区画されている。原稿載置台の上段側が原稿供紙部、原稿載置台の下段側が原稿排紙部として割り当てられている。
【００４８】
また、原稿載置台上には、原稿載置台に載置された原稿の両側を挟むようにに構成された図示しない一対の原稿固定壁が備えられている。原稿固定壁は、矢印Ａ方向と直交する方向にスライド可能に構成されている。原稿載置台に載置された原稿は、この一対の原稿固定壁によって固定される。また、この一対の原稿固定壁の位置によって、原稿載置台に載置された原稿の幅を検出するセンサが備えられている。さらには、原稿載置台に原稿が載置されているかを検出可能なセンサが備えられている。
【００４９】
更に、ＡＤＦ７から原稿供排紙部９側に延びる一対の被覆部材１０を備えている。被覆部材１０は、原稿載置台に載置される原稿を覆っており、原稿供排紙部９に埃、塵等が貯まることを抑制している。
【００５０】
図１では、原稿載置台に載置されている原稿を図示している。原稿はスキャナ３によって読取らせる読取面を上側（原稿載置台側の反対側）にして原稿載置台に載置される。原稿載置台に載置された原稿は、ＡＤＦ７によって矢印Ａ方向に向けて搬送され、Ｕ字状の搬送路を経由して、原稿排紙部に排紙される。原稿排紙部に排紙された原稿は、読取面が下向きとなって排紙される。スキャナ３は、搬送途中の原稿の読取面に記録された画像を読み取る。
【００５１】
プリンタ２は、スキャナ３で読み取られた画像データ或いは外部から入力された画像データに基づいて、記録用紙上に画像を記録する。プリンタ２は、所謂インクジェット方式の画像記録装置（インクジェット記録装置）である。上記インクジェット方式はプリンタ２による画像記録方式の単なる一例である。プリンタ２による画像記録方式として、電子写真方式や熱転写方式などの種々の画像記録方式を採用することができるのはもちろんである。
【００５２】
複合機１の正面側、換言すれば、プリンタ２の正面側には開口１１が形成されている。開口内は、給紙トレイ１４及び排紙トレイ１５を内包している。
【００５３】
複合機１の正面側には、操作パネル４が設けられている。操作パネル４は、プリンタ２やスキャナ３を操作するためのものであり、各種操作キー４０（４０ａ、４０ｂ、４０ｃ、４０ｄ）とＬＣＤ４１とを備えている。
【００５４】
複合機１に所定の指令が入力されると、その入力された情報に基づいて該複合機１の動作が制御部２０によって制御される。なお、複合機１は、操作パネル４から入力された指令のほか、コンピュータからプリンタドライバやスキャナドライバ等を介して送信される指令に基づいて動作するようにシステム構成されている。
【００５５】
プリンタ２の上記開口１１の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。
【００５６】
接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データが後述の制御部２０により読み出されると、その読み出された画像データや該画像データに関する情報が制御部２０（図２参照）によってＬＣＤ４１に表示される。或いは、選択された任意の画像がプリンタ２において記録用紙に記録される。
【００５７】
図２を参照して、複合機１の動作を制御する制御部２０の概略構成について説明する。図２は、複合機１の制御部２０の概略構成を示すブロック図である。制御部２０は、プリンタ２、スキャナ３及び操作パネル４を含む複合機１の動作を統括的に制御するものである。
【００５８】
制御部２０は、図に示すように、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。  
【００５９】
ＣＰＵ２１は、この複合機１を総括的に制御する中央演算処理であり、ＲＯＭ２２に記憶されているプログラムに沿って動作する。ＲＯＭ２２には、複合機１の各種動作を制御するためのプログラムが格納されている。例えば、ファクシミリデータ送信プログラム２２ａが、図５等に示すＦＡＸ送信処理を実行させるためのプログラムとして、ＲＯＭ２２に記憶されている。
【００６０】
ＲＡＭ２３は、ＣＰＵ２１が上記プログラムを実行する際に用いる各種データを一時的に記録する記憶領域又は作業領域として使用される。ＥＥＰＲＯＭ２４は、電話帳メモリ２４ａと、送信済ＦＡＸデータメモリ２４ｂとを備えている。電話帳メモリ２４ａには、ＦＡＸデータを送信する相手側装置の宛名と、ＦＡＸ番号とが対応つけられた電話帳が記憶されている。また、本実施例では、ユーザーが使用する電話帳が、ユーザー毎に個別に記憶されているものとする。もちろん、複数のユーザーで１つの電話帳を共有して使用する構成としてもよい。送信済ＦＡＸデータメモリ２４ｂには、相手側装置に送信済のＦＡＸデータが記憶されている。また、この送信済ＦＡＸデータメモリ２４ｂに記憶される送信済のＦＡＸデータには、送信した宛先と、送信した日時と、送信した際のＦＡＸ送信設定と（例えば、白黒、カラーの別、濃度の濃さ、送信向き等）が各送信済のＦＡＸデータに対応つけて記憶されている。
【００６１】
ＡＳＩＣ２６は、ＣＰＵ２１からの指令に従い、プリンタ２、スキャナ３、操作パネル４、及びスロット部７２などの動作制御を行なう（例えば、プリンタ２を駆動するモータやインクジェット記録ヘッド、スキャナ３のＡＤＦ７を駆動するモータや画像読取ユニット等の動作を制御する）。プリンタ２、スキャナ３及びスロット部７２などは、公知の構成であるので詳細な説明は省略する。
【００６２】
また、ＡＳＩＣ２６には、複合機１に所望の指令を入力する操作キー４０を制御するパネルゲートアレイ２７（パネルＧＡ２７）、ＬＣＤ４１の画面表示を制御するＬＣＤコントローラ２８、コンピュータとパラレルケーブル又はＵＳＢケーブルを介してデータの送受信を行なうためのパラレルインタフェース２９（パラレルＩ／Ｆ２９）、ＵＳＢ端子７１、アンプ７を介してスピーカ７４、時計専用のチップであるＲＴＣ（Ｒｅａｌ  Ｔｉｍｅ  Ｃｌｏｃｋ  ）１８が接続されている。尚、ＲＴＣ１８には、電源が切られている間も起動できるように電池１８ａが接続されている。
【００６３】
さらに、ＡＳＩＣ２６には、ＮＣＵ（Ｎｅｔｗｏｒｋ  Ｃｏｎｔｒｏｌ  Ｕｎｉｔ）３１が接続され、そのＮＣＵにはモデム３２（ＭＯＤＥＭ３２）が接続されている。ＮＣＵ３１は回線制御を行うためのものであり、電話回線に接続されている。ＮＣＵ３１は、交換機から送信される呼出信号や各種信号を受信するものである。また、ＮＣＵ３１は操作キー４０の操作に応じた発信時のダイヤル信号を交換機へ送信したり、電話回線の閉結時において、アナログ音声信号の送受信などのデータ通信を行うものである。モデム２０は、ファクシミリデータ（以下、「ＦＡＸデータ」と称す）や電子メールデータの変調および復調を実行するものである。また、モデム２０は、伝送制御用の各種手順信号を送受信するものである。ＦＡＸデータは、このＮＣＵ３１とＭＯＤＥＭ３２とによってファクシミリ手順に沿って送受信される。
【００６４】
次に、図３および図４を参照して、上述した複合機１において、ＦＡＸデータを送信する前に、ＬＣＤ４１に表示される情報について説明する。尚、図３および図４に示すＬＣＤ４１は、長手方向を拡大して図示している。また、モード選択キー４０ａが押下され、ＦＡＸモードに設定されている状態にあるものとする。
【００６５】
ＦＡＸモードに設定されると、図３（ａ）に示す通り、ＬＣＤ４１の最左欄４１ａには、電話帳５０が表示される。電話帳５０には、ユーザー名５０ａと、グループ名５０ｂと、宛先氏名５０ｃとが表示される。ユーザー名５０ａには、複合機１を使用可能なユーザーの氏名一覧が表示され、例えば、「浅井、加藤、佐々木、原田」等と表示される。グループ名５０ｂには、例えば、５０音図における「あ」段が表示される。宛先氏名５０ｃには、電話帳メモリ２４ａにＦＡＸ番号に対応つけて記憶されている宛名一覧が表示され、グループ名５０ｂにおいて選択された行に応じて、例えば、「赤井商事、赤木商事、飯田電子、石田工業、上田工業、江田商事、大野電子」等と表示される。
【００６６】
電話帳５０が表示されると、ユーザーは、ユーザー名５０ａの中から自分の氏名を選択する。次に、ユーザーは、５０音図における「あ」段の中から、これからＦＡＸを送信しようとしている宛名の先頭文字が含まれる行を選択する。尚、ユーザーが選択した部位は、背景色が変化する。これにより、ユーザは、自身が何を選択したかが一見して分かる。
【００６７】
先頭文字が含まれる行が選択されると、その行に該当する宛名それぞれが宛先氏名５０ｃに表示され、ユーザーは、その宛名から、これからＦＡＸを送信しようとする宛名を選択する。即ち、図３（ａ）では、ユーザー名として「加藤」、グループとして「あ」行、氏名として「赤井商事」が選択された状態を図示している。
【００６８】
宛先氏名５０ｃから特定の宛名が選択されると、図３（ｂ）に示すように、電話帳５０が表示されている欄のの右隣の欄４１ｂにＦＡＸ送信５１と、そのＦＡＸ送信５１の右隣の欄４１ｃに前回のＦＡＸ送信画像５２が表示される。前回のＦＡＸ送信画像５２には送信済画像５２ａが表示される。この送信済画像５２ａは、宛先氏名５０ｃで選択した宛名に前回送信した画像である。ＦＡＸ送信５１には、宛先氏名５０ｃで選択した宛名に前回ＦＡＸ送信した際のＦＡＸ送信設定が表示される。
【００６９】
ＦＡＸ送信５１に表示されるＦＡＸ送信設定としては、宛先情報５１ａと、送信モード情報５１ｂと、画質設定情報５１ｃとが表示される。宛先情報５１ａには、宛名と、その宛名のＦＡＸ番号とが表示される。送信モード情報５１ｂには、白黒送信（ｂｌａｃｋ）か、カラー送信（Ｃｏｌｏ）か、画質がスタンダード（Ｓｔｄ）か、ファイン（ｆｉｎｅ）か、スーパーファイン（Ｓ．ｆｉｎｅ）か、写真（Ｐｈｏｔｏ）かが表示される。画質設定情報５１ｃには、濃度（コントラスト）が、薄い（ＬＩＧＨＴ）か、普通（Ｎｏｒｍａｌ）か、濃い（Ｄａｒｋ）かが表示される。
【００７０】
該当部位は、背景色が変化し、設定状況が一見して分かるように構成されており、図３（ｂ）では、送信モード情報５１ｂとして白黒送信（ｂｌａｃｋ）、ファイン（ｆｉｎｅ）、画質設定情報５１ｃとして濃度が濃く（Ｄａｒｋ）が、送信済画像５２ａを送信した際のＦＡＸ送信設定として表示される。
【００７１】
これにより、ユーザーは、今回送信する宛先として指定した「赤井商事」に前回送信した送信済画像５２ａの内容を確認できると共に、その際のＦＡＸ送信設定も確認することができる。そして、図１に示す今回送信をしようとしている原稿の内容と、送信済画像５２ａとを比較する。ここで、送信済み画像５２ａの内容と、今回送信をしようとしている原稿の内容が全く異なる内容である場合、ユーザーは、自己が指定した宛名「赤井商事」が誤指定であったことを認識することになる。そして、改めて、今回送信したい宛先を宛名一覧から選択するのである。
【００７２】
次に、図４を参照して、選択した宛先が誤っていた事に気が付いた場合について説明する。この場合、ユーザーは、再度、電話帳５０の宛名一覧から正しい宛名を選択する。例えば「赤井商事」から「赤木商事」に変更する。この変更が行われると、前回のＦＡＸ送信画像５２の表示が、「赤井商事」宛に送信した送信済画像５２ａ（図３（ｂ）参照）から、「赤木商事」宛に送信した送信済画像５２ｂに切り換わる。また、ＦＡＸ送信欄５１の表示が送信済画像５２ｂをＦＡＸ送信した際のＦＡＸ送信設定に切り換わる。
【００７３】
そして、再び、ユーザーは、図１に示す今回送信をしようとしている原稿の内容と、送信済画像５２ｂとを比較する。ここで、送信済み画像５２ａの内容と、今回送信をしようとしている原稿の内容が似通った内容である場合、ユーザーは、自己が指定した宛名「赤木商事」が正しいかったことを認識することになる。また、図３（ｂ）から図４への表示の切り換えは、ユーザーが宛名を選択する度に切り換わる。すなわち、ユーザーは、宛名を選択するだけの簡単な操作で、ユーザーが所望する、選択した宛名に送信した送信済画像を確認することができ、ストレスを感じることがない。更に、送信済画像にＦＡＸ送信設定が対応つけて表示されるので、ユーザーは、送信済画像に加え、ＦＡＸ送信設定も一緒に確認することができる。
【００７４】
次に、図３および図４で説明した送信済画像を表示させてＦＡＸデータを送信する第１実施例のＦＡＸ送信処理について説明する。図５は、第１実施例のＦＡＸ送信処理を示すフローチャートである。この処理は、ＦＡＸデータ送信プログラム２２ａに従ってＣＰＵ２１によって実行される処理である。尚、本処理では、ユーザーのモード選択キー４０ａの操作によってＦＡＸモードが設定され、図１に示す状態で原稿載置台の上には送信予定の原稿が載置され、その原稿の幅が一対の原稿固定壁によって検出されているものとする。
【００７５】
この処理では、まず、ＬＣＤ４１に電話帳を表示する（Ｓ５０１）。電話帳とは、電話帳５０に表示される情報であり、表示される情報は電話帳メモリ２４ａから読み出される。そして、宛先が選択されたか、具体的には、宛先氏名５０ｃに表示された宛名一覧の中から、特定の宛名が選択されたかを判断する（Ｓ５０２）。尚、宛先が選択されたかは（Ｓ５０２）、宛名一覧から特定の宛名が選択されたかを判断するのに加え、テンキー４０ｂを介してＦＡＸ番号が直接入力されたかをも判断している。
【００７６】
その結果、宛先が選択されていない場合には（Ｓ５０２：Ｎｏ）、Ｓ５０２の処理を繰り返し、宛先が選択された場合には（Ｓ５０２：Ｙｅｓ）、その宛先にＦＡＸ送信をしたことがあるかを判断する（Ｓ５０３）。この判断は、選択された宛先に対応つけられた送信済のＦＡＸデータが送信済ＦＡＸデータメモリ２４ｂに記憶されているかを検索し、検索されればＦＡＸ送信をしたことがあるとして判断する。
【００７７】
その結果、ＦＡＸ送信したことがないと判断した場合には（Ｓ５０３：Ｎｏ）、ユーザーに宛先を再選択するかを通知し、ユーザーから宛先を再選択するという指示があった場合には（Ｓ５０６：Ｙｅｓ）、Ｓ５０２の処理に移行し、宛先を選択しないという指示があった場合には（Ｓ５０６：Ｎｏ）、後述するＳ５０８の処理に移行する。例えば、ユーザーに宛先を再選択するかの通知は、その旨をＬＣＤ４１に表示し、ユーザーからの指示は指示キー４０ｄを介して入力できる。
【００７８】
一方、ＦＡＸ送信したことがあると判断した場合には（Ｓ５０３：Ｙｅｓ）、選択したした宛先に前回送信した送信済画像と、その送信済画像を送信した際のＦＡＸ送信設定とをＬＣＤ４１に表示する（Ｓ５０４）。
【００７９】
ここで、選択した宛先に対応する送信済のＦＡＸデータが複数あった場合には、一度に全部の送信済画像を表示させても良く、複数回に分けて送信済画像を表示させても良い。この場合には、ユーザーは、一度に全部あるいは複数の送信済画像を確認することができる。
【００８０】
また、全部または複数の送信済画像を一度に表示させることもできるが、かかる場合には一つの送信済画像を小さく表示せざるを得ない。そこで、各ＦＡＸデータに対応つけて記憶されている送信日時データを参照し、送信日時データが最も最新の送信済画像を最初に表示したり、又は他の送信済画像よりも大きく表示させても良い。この場合には、ユーザーに一見して最新の送信済画像を認識させることができる。尚、最も最新の送信済画像を最初に表示するのは、最も最新の送信済画像がユーザーの印象として残っている可能性が高いことから、送信予定の原稿との比較対照として最も適格性が高いためである。
【００８１】
また、送信日時データを参照することなく、送信済ＦＡＸデータメモリ２４ｂに送信順番にＦＡＸデータを記憶させ、その順番通りに１つずつ表示させるように構成しても良い。尚、複数回に分けて送信済画像を表示させる場合には、例えば、ユーザーがカーソルキー４０ｃを操作した場合、あるいは、所定時間経過後に自動で、次の送信済画像を表示させるように構成できる。
【００８２】
また、この第１実施例では、送信済画像を表示させる向きは、その送信済画像のＦＡＸデータをＦＡＸ送信した際に、そのＦＡＸデータに対応つけて記憶される原稿の幅方向がＬＣＤ４１の図中の縦方向と一致するように表示されるものとする。
【００８３】
こうして、送信済画像が表示されると、ユーザーは表示された送信済画像と、今回送信する予定の原稿とを比較し、送信する予定の原稿の宛先を選択した宛先で正しいかを判断する。ユーザーは、その結果を指示キー４０ｃを介して入力する。ユーザーの入力が、正しくない（誤っていた）ことを示した場合には（Ｓ５０５：Ｎｏ）、上述したのと同様に、ユーザーに宛先を再選択するかを通知する。その後、ユーザーから宛先を選択するという指示があった場合には（Ｓ５０７：Ｙｅｓ）、Ｓ５０２の処理に移行する。その一方、ユーザーから宛先を再選択しないという指示があった場合には（Ｓ５０７：Ｎｏ）、後述するＳ５０８の処理に移行する。
【００８４】
一方、ユーザーの入力が、が選択した宛先が正しいことを示した場合には（Ｓ５０５：Ｙｅｓ）、前回と同じＦＡＸ送信設定で今回のＦＡＸ送信を行ってもＯＫかをユーザーに通知する。ユーザーは、その通知を受け、今回のＦＡＸ送信設定が、前回のＦＡＸ送信設定と同じでＯＫかを判断する（Ｓ５０８）。
【００８５】
ユーザーの判断結果は、例えば、指示キー４０ｃを介して入力される。ユーザーからの入力がＯＫを示す入力であれば（Ｓ５０８：Ｙｅｓ）、Ｓ５１０の処理に移行する。一方、ユーザーからのＯＫを示す入力がない場合は、（Ｓ５０８：Ｎｏ）、前回のＦＡＸ送信設定に代えて、新たにユーザーから指定される今回のＦＡＸ送信設定を取得する（Ｓ５０９）。
【００８６】
こうして、今回の送信予定原稿の宛先およびＦＡＸ送信設定が決定すると、ＡＤＦ７によって原稿載置台に載置されている原稿を１頁搬送し、その原稿の読取面に記録されている画像をスキャナ３によって読み取る（Ｓ５１０）。そして、原稿がまだあるかを判断し（Ｓ５１１）、原稿があれば（Ｓ５１１：Ｙｅｓ）、再びＳ５１０の処理に再移行し、原稿がなければ（Ｓ５１１：Ｎｏ）、周知のファクシミリ手順に沿って、読取った原稿の画像をＦＡＸデータとしてＦＡＸ送信する（Ｓ５１２）。そして、ＦＡＸ送信したＦＡＸデータに、宛先データ、ＦＡＸ送信設定データ、送信日時データ、原稿の幅データを対応つけた上で、送信済のＦＡＸデータを送信済ＦＡＸデータメモリ２４ｂに記憶し（Ｓ５１３）、本処理を終了する。
【００８７】
このように、第１実施例のＦＡＸ送信処理によれば、使用者が宛先を謝って選択することを未然に防ぐことができる。なぜならば、使用者が宛先の指示を入力しようとするときに、以前送信したデータを示す送信済画像と、その送信済画像を送信した宛先とが対応つけて出力されるからである。つまり、使用者は、以前送信したデータを一目で認識できる。データを送信する宛先を指定する前の使用者は、これから送信しようとするデータがどのような内容のデータであるのかをだいたい認識している状態である（これから送信しようとするデータの原稿を手に持っていることもある）。このような状態で、使用者は、以前、どの宛先に、どのようなデータを送信したかを知りながら、今回の宛先を指定することができ、宛先が誤って指定されるのを抑制することができる。
【００８８】
また、送信済画像は、今回送信予定の原稿を読取る前に表示される。このとき、今回送信する原稿は、原稿載置台に第１面を上にして載置されている。このため、ユーザーは、原稿載置台に原稿を載置させたままの状態で、今回送信予定の原稿と、送信済画像とを容易に見比べ易ながら、正しい宛先を指定することができる。
【００８９】
更に、ＦＡＸ送信設定について変更がないと判断された場合には（Ｓ５０８）、そのＦＡＸ送信設定と同じ条件でデータが送信される。即ち、先に設定した送信条件を再利用することで、使用者が希望する送信条件を簡単に設定できる。同じ宛先に、似通ったデータを送信することが多いため、先に送信した送信条件と同じ送信条件で送信できることは有効である。
【００９０】
次に、図６を参照して、第２実施例の送信済画像の表示態様について説明する。尚、図６は、図３（ｂ）あるいは図４に対応する図であり、重複部分には、同じ符号を付し、その説明は省略する。第２実施例の送信済画像の表示態様は、被覆部材１０に覆われていなかった部分だけを送信済画像５２ｃとして表示させるものである。
【００９１】
図１に示すように、送信する原稿を原稿載置台にセットすると、搬送方向（矢印Ａ参考）下流側の原稿の両角部は、被覆部材１０によって覆われて見えない状態となる。即ち、この第２実施例の送信済画像の表示態様は、原稿載置台に原稿をセットした状態で、実際に外部から見える部分だけを送信済画像５２ｃとし表示させるものである。
【００９２】
このように、送信済画像５２ｃを表示することで、被覆部材１０と原稿に記録されている情報との位置関係からも原稿載置台に載置されている原稿と送信済画像５２ｃとを同一の形状で見比べることができるので、両者を見比べ易く、宛先が誤って指定されるのを抑制することができる。
【００９３】
次に、上述した第２実施例の表示態様で送信済画像を表示させ、ＦＡＸデータを送信する第２実施例のＦＡＸ送信処理について説明する。図７は、第２実施例のＦＡＸ送信処理を示すフローチャートである。図７は、図５で説明した第１実施例のＦＡＸ送信処理に対応するフローチャートであり、第１実施例のＦＡＸ送信処理と重複するステップについては、簡略化して説明する。
【００９４】
この処理では、まず、ＬＣＤ４１に電話帳を表示する（Ｓ７０１）。表示された電話帳から所定の宛先が選択されたかを判断する（Ｓ７０２）。宛先が選択されない場合には（Ｓ７０２：Ｎｏ）、Ｓ７０２の処理を繰り返し、宛先が選択された場合には（Ｓ７０２：Ｙｅｓ）、その宛先にＦＡＸ送信をしたことがあるかを判断する（Ｓ７０３）。
【００９５】
ＦＡＸ送信したことがないと判断した場合には（Ｓ７０３：Ｎｏ）、宛先を再選択するかを判断し（Ｓ７０６）、再選択する場合には（Ｓ７０６：Ｙｅｓ）、Ｓ７０２の処理に移行し、再選択しない場合には（Ｓ７０６：Ｎｏ）、後述するＳ７０８の処理に移行する。一方、Ｓ７０３において、ＦＡＸ送信したことがあると判断した場合には（Ｓ７０３：Ｙｅｓ）、前回送信した送信済画像を加工し、前回送信した送信済画像のうち原稿セット状態で見えている部分、および、そのＦＡＸ設定をＬＣＤ４１に表示する（Ｓ７０４）。
【００９６】
ユーザーは、表示された送信済画像と、今回送信する送信予定原稿とを比較し、比較結果を入力する。ユーザーの入力が、送信予定原稿の宛先が選択した宛先で正しくない（誤っていた）ことを示した場合には（Ｓ７０５：Ｎｏ）、宛先を再選択するかを判断し（Ｓ７０７）、宛先を再選択する場合には（Ｓ７０７：Ｙｅｓ）、Ｓ７０２の処理に移行し、宛先を再選択しない場合には（Ｓ７０７：Ｎｏ）、後述するＳ７０８の処理に移行する。
【００９７】
一方、Ｓ７０５の処理において、ユーザーの入力が選択した宛先が正しいことを示した場合は（Ｓ７０５：Ｙｅｓ）、前回と同じＦＡＸ送信設定でＯＫかをユーザーに通知し、ユーザーからの入力がＯＫかを判断し（Ｓ７０８）、ＯＫを示す入力であれば（Ｓ７０８：Ｙｅｓ）、Ｓ５１０の処理に移行し、ＯＫでないことを示す入力の場合（ＦＡＸ送信設定を変更する場合）には（Ｓ７０８：Ｎｏ）、前回のＦＡＸ送信設定に代えて、新たにユーザーから指定される今回のＦＡＸ送信設定を取得する（Ｓ７０９）。
【００９８】
こうして、今回の送信予定原稿の宛先およびＦＡＸ送信設定が決定すると、原稿を１頁送信し、その原稿の画像をスキャナ３によって読み取る（Ｓ７１０）。そして、原稿がまだあるかを判断し（Ｓ７１１）、原稿があれば（Ｓ７１１：Ｙｅｓ）、再びＳ７１０の処理に再移行し、原稿がなければ（Ｓ７１１：Ｎｏ）、読取った原稿の画像をＦＡＸデータとしてＦＡＸ送信する（Ｓ７１２）。そして、ＦＡＸ送信したＦＡＸデータに、宛先データ、ＦＡＸ送信設定データ、送信日時データ、原稿の幅データを対応つけた上で、送信済のＦＡＸデータを送信済ＦＡＸデータメモリ２４ｂに記憶し（Ｓ７１３）、本処理を終了する。
【００９９】
上述した第２実施例のＦＡＸ送信処理では、Ｓ７０４において、前回送信した送信済画像を加工し、前回送信した送信済画像のうち原稿セット状態で見えている部分だけを表示する場合ついて説明したが、前回送信した送信済画像のうち原稿セット状態で見えている部分だけを表示するモードと、全部を表示するモードとを選択可能に構成することもできる。
【０１００】
また、Ｓ７０４において、前回送信した送信済画像を加工することなく、Ｓ７１２で送信したＦＡＸデータを加工し、加工された状態でＦＡＸデータを記憶するようにしても良い。かかる場合には、保存するＦＡＸデータのデータ容量を軽減させることができる。
【０１０１】
次に、図８を参照して、第３実施例の送信済画像の表示態様について説明する。尚、図８は、図３（ｂ）あるいは図４に対応する図であり、重複部分には、同じ符号を付し、その説明は省略する。第３実施例の送信済画像の表示態様は、送信済画像５２ｄの向きを、今回送信する予定として原稿記載置台に載置されている原稿の向きと同じ向きになるよう表示させるものである。
【０１０２】
前回送信した原稿は、図１に示すように、原稿の長手方向が矢印Ａ方向と平行になるようにセットされ送信されたが、今回送信する送信予定の原稿が、前回から９０度回転し、原稿の長手方向が矢印Ａ方向と直交するようにセットされる場合がある。
【０１０３】
この場合、第１実施例の送信済画像の表示態様では、ＬＣＤ４１に表示される前回の送信済画像の向きと、今回送信する送信予定の原稿の向きとが異なることになり比較しにくくなる。そこで、この第３実施例の送信済画像の表示態様は、送信済画像５２ｄの向きを、今回送信する予定として原稿記載置台に載置されている原稿の向きと同じ向きになるよう表示させるものである。
【０１０４】
このように送信済画像５２ｄを表示させることで、原稿載置台に載置させた原稿の向きと同じになるので、原稿の読取面に記録されている情報と、送信済画像とを見比べ易く、宛先が誤って指定されるのを抑制することができる。
【０１０５】
次に、上述した第３実施例の表示態様で送信済画像を表示させ、ＦＡＸデータを送信する第３実施例のＦＡＸ送信処理について説明する。図９は、第３実施例のＦＡＸ送信処理を示すフローチャートである。図９は、図５で説明した第１実施例のＦＡＸ送信処理に対応するフローチャートであり、第１実施例のＦＡＸ送信処理と重複するステップについては、簡略化して説明する。
【０１０６】
この処理では、まず、原稿載置台にセットされている原稿の幅を一対の原稿固定壁によって検出する（Ｓ９０１）。そして、ＬＣＤ４１に電話帳を表示する（Ｓ９０２）。表示された電話帳から所定の宛先が選択されたかを判断する（Ｓ９０３）。宛先が選択されない場合には（Ｓ９０３：Ｎｏ）、Ｓ９０３の処理を繰り返し、宛先が選択された場合には（Ｓ９０３：Ｙｅｓ）、その宛先にＦＡＸ送信をしたことがあるかを判断する（Ｓ９０４）。
【０１０７】
ＦＡＸ送信したことがないと判断した場合には（Ｓ９０４：Ｎｏ）、宛先を再選択するかを判断し（Ｓ９０９）、再選択する場合には（Ｓ９０９：Ｙｅｓ）、Ｓ９０３の処理に移行し、再選択しない場合には（Ｓ９０９：Ｎｏ）、後述するＳ９１１の処理に移行する。
【０１０８】
Ｓ９０４において、ＦＡＸ送信したことがあると判断した場合には（Ｓ９０４：Ｙｅｓ）、送信予定原稿の幅と、選択した宛先に前回送信した送信済原稿の幅とが一致するかを判断する（Ｓ９０５）。
【０１０９】
その結果、一致しないと判断すれば（Ｓ９０５：Ｎｏ）、送信済画像のデータを時計と反対回りに９０度回転させた上で（Ｓ９０６）、前回送信した送信済画像と、その送信済画像を送信した際のＦＡＸ送信設定とをＬＣＤ４１に表示する（Ｓ９０７）。一方、Ｓ９０５において、一致すると判断すれば（Ｓ９０５：Ｙｅｓ）、その状態のまま、前回送信した送信済画像と、その送信済画像を送信した際のＦＡＸ送信設定とをＬＣＤ４１に表示する（Ｓ９０７）。
【０１１０】
ユーザーは、表示された送信済画像と、今回送信する送信予定原稿とを比較する。比較した結果、送信予定原稿の宛先が選択した宛先で正しいかを判断する（Ｓ９０８）。尚、Ｓ９０８以降の処理は、図５、図７で説明した処理と同じなので、その説明は省略する。
【０１１１】
次に、図１０を参照して、第４実施例の送信済画像の表示態様について説明する。尚、図１０は、図３（ｂ）あるいは図４に対応する図であり、重複部分には、同じ符号を付し、その説明は省略する。第４実施例の送信済画像の表示態様は、図１０（ｂ）に示すように、送信済画像５２ｅの左隣に、今回送信する予定の送信予定画像５２ｆを並べて表示させるものである。
【０１１２】
即ち、この第４実施例では、まずは、図１０（ａ）に示すように、選択した宛先に前回送信した送信済画像５２ｅを表示させる。その後、図１０（ｂ）に示すように、ＦＡＸ送信欄５１に表示されている情報に代えて、今回送信する予定の送信予定画像５２ｆを表示させるものである。
【０１１３】
このように、送信済画像５２ｅと、送信予定画像５２ｆとを並べて一緒にＬＣＤ４１に表示することで、比較する位置、大きさは一緒にすることができ、見比べ易く、宛先が誤って指定されるのを抑制することができる。
【０１１４】
次に、上述した第４実施例の表示態様で送信済画像を表示させ、ＦＡＸデータを送信する第４実施例のＦＡＸ送信処理について説明する。図１１は、第４実施例のＦＡＸ送信処理を示すフローチャートである。図１１は、図５で説明した第１実施例のＦＡＸ送信処理に対応するフローチャートであり、第１実施例のＦＡＸ送信処理と重複するステップについては、簡略化して説明する。
【０１１５】
この処理では、まず、ＬＣＤ４１に電話帳を表示する（Ｓ１１０１）。表示された電話帳から所定の宛先が選択されたかを判断する（Ｓ１１０２）。宛先が選択されない場合には（Ｓ１１０２：Ｎｏ）、Ｓ１１０２の処理を繰り返し、宛先が選択された場合には（Ｓ１１０２：Ｙｅｓ）、前回送信した送信済画像と、その送信済画像を送信した際のＦＡＸ送信設定とをＬＣＤ４１に表示する（Ｓ１１０３）。尚、本実施例では、選択された宛先に、ＦＡＸ送信したことがある場合についてのみの説明とする。
【０１１６】
次に、前回と同じＦＡＸ送信設定でＯＫかをユーザーに通知し、ユーザーからの入力がＯＫかを判断し（Ｓ１１０４）、ユーザーからの入力がＯＫを示す場合であれば（Ｓ１１０４：Ｙｅｓ）、Ｓ１１０６の処理に移行し、ユーザーからの入力がＯＫでないことを示す場合（ＦＡＸ送信設定を変更する場合）には（Ｓ１１０４：Ｎｏ）、前回のＦＡＸ送信設定に代えて、新たにユーザーから指定される今回のＦＡＸ送信設定を取得する（Ｓ１１０５）。
【０１１７】
こうして、今回の送信予定原稿の宛先およびＦＡＸ送信設定が決定すると、原稿を１頁送信し、その原稿の画像をスキャナ３によって読み取る（Ｓ１１０６）。そして、原稿がまだあるかを判断し（Ｓ１１０７）、原稿があれば（Ｓ１１０７：Ｙｅｓ）、再びＳ１１０６の処理に再移行し、原稿がなければ（Ｓ１１０７：Ｎｏ）、送信済画像の左隣に、Ｓ１１０６で読取った読取画像（今回送信予定の送信予定画像）を表示する（Ｓ１１０８）。
【０１１８】
両画像は、一緒に並んでＬＣＤ４１に表示されるので、両画像を比較し易くすることができる。そして、ユーザーが両画像を比較した結果を入力し、ユーザーの入力が送信予定原稿の宛先が選択した宛先で正しいことを示した場合には（Ｓ１１０９：Ｙｅｓ）、読取った原稿の画像をＦＡＸデータとしてＦＡＸ送信する（Ｓ１１１１）。一方、ユーザーの入力が送信予定原稿の宛先が選択した宛先で正しくない（誤っていた）ことを示した場合には（Ｓ１１０９：Ｎｏ）、宛先を再選択するかを判断し（Ｓ１１１０）、宛先を再選択する場合には（Ｓ１１１０：Ｙｅｓ）、Ｓ１１０３の処理に移行し、宛先を再選択しない場合には（Ｓ１１１０：Ｎｏ）、読取った原稿の画像をＦＡＸデータとしてＦＡＸ送信する（Ｓ１１１１）。
【０１１９】
こうして、ＦＡＸ送信が終了すると（Ｓ１１１１）、ＦＡＸ送信したＦＡＸデータに、宛先データ、ＦＡＸ送信設定データ、送信日時データ、原稿の幅データを対応つけた上で、送信済のＦＡＸデータを送信済ＦＡＸデータメモリ２４ｂに記憶し（Ｓ１１１２）、本処理を終了する。
【０１２０】
次に、図１２を参照して、図１で説明した被覆部材１０に関する変形例について説明する。図１２は、図１に対応する図であり、重複する部材には同一符号を付し、その説明は省略する。
【０１２１】
図１２に示す変形例の被覆部材１０は、図１に示す被覆部材１０を透明な部材で構成したものである。図１に示す被覆部材１０は、原稿載置台に載置されている原稿の一部を覆い、その被覆部材１０に覆われている原稿の読取面部分は被覆部材１０の上方からは視認することができない。
【０１２２】
一方、図１２に示す被覆部材１０は、透明に構成されているので、被覆部材１０によって覆われている原稿の読取面部分であっても、被覆部材１０の上方から視認することができる。
【０１２３】
即ち、原稿載置台に載置されている原稿の読取面の全部を視認することができる。よって、ＬＣＤ４１に表示される送信済画像と、原稿載置台に載置されている送信予定原稿の読取面とを比較しやすく、ひいては、誤宛先を指定するのを抑制することができる。
【０１２４】
次に、図１３を参照して、第５実施例のＦＡＸ送信処理について説明する。尚、図１３は、図１に対応する図であり、重複部分には、同じ符号を付し、その説明は省略する。第５実施例のＦＡＸ送信処理は、原稿を原稿載置台に正規の状態（図１参照）から１８０度回転させた状態でセットし、その状態のまま原稿を読取り、その読取ったデータを１８０度回転させて相手側装置に送信させるものである。尚、本実施例でいう正規の状態とは、図１に示す通り、原稿の先頭側を矢印Ａ方向の下流側にセットした状態をいう。
【０１２５】
一般的に、原稿の先頭側には、宛先、原稿の特徴的部分等が記録されていることが多い。よって、正規の状態（図１参照）で原稿をセットした場合には、宛先、原稿の特徴的部分等は、被覆部材１０によって覆われ、外部から視認できない可能性がある。そこで、原稿を正規の状態から１８０度回転させた状態で原稿載置台に載置させることで、宛先、原稿の特徴的部分等を外部から視認することができる。
【０１２６】
一方、原稿を正規の状態から１８０度回転させた状態でセットした場合、相手側装置には、正規の向きから１８０度回転したデータが送信されることになる。相手側装置は、複数の装置から、正規の向きのデータを受信しているとが多いと考えられる。そこに、正規の向きから１８０度回転したデータが混じることは、相手側装置の使用者に多大な負担をかけることになる。そこで、原稿を正規の状態から１８０度回転させてセットした場合には、原稿をスキャナ３で読取った後で、その読取った読取画像のデータを１８０度回転して送信する。これにより、原稿載置台に原稿をセットした状態で宛先、原稿の特徴的部分等を外部から視認することができ、表示される送信済情報とを見比べ易く、宛先が誤って指定されるのを抑制することができる。また、相手側装置にも正規の向きで原稿を送信することができる。
【０１２７】
図１４は、第５実施例のＦＡＸ送信処理を示すフローチャートである。図１４は、図５で説明した第１実施例のＦＡＸ送信処理に対応するフローチャートであり、図１４に示すＳ１４０１〜Ｓ１４１１までの処理は、図５に示すＳ５０１〜Ｓ５１１までの処理と同じ処理なので、その説明は省略する。
【０１２８】
Ｓ１４１０およびＳ１４１１によって、送信予定の全ての原稿の読取りが終了すると（Ｓ１４１１：Ｎｏ）、Ｓ１４１０で読取った読取データを１８０度回転させる（Ｓ１４１２）。この処理により、原稿載置台に原稿を、正規の向きとは１８０度回転させた状態で原稿をセットしたとしても、読取データを原稿載置台に原稿を、正規の向きでセットしたのと同じ状態にすることができる。
【０１２９】
こうして、１８０度回転させた読取りデータをＦＡＸデータとしてＦＡＸ送信する（Ｓ１４１３）。そして、ＦＡＸ送信したＦＡＸデータに、宛先データ、ＦＡＸ送信設定データ、送信日時データ、原稿の幅データを対応つけた上で、送信済のＦＡＸデータを送信済ＦＡＸデータメモリ２４ｂに記憶し（Ｓ１４１４）、本処理を終了する。
【０１３０】
尚、上述した説明では、原稿載置台に載置されている原稿の向きと、Ｓ１４０４でＬＣＤ４１に表示する送信済画像との向きが逆になるため、送信済画像をＬＣＤ４１表示する場合には、送信済画像を１８０度回転させて表示するように構成しても良い。かかる場合には、両者の向きが同一になり、両者を見比べ易くすることができる。
【０１３１】
また、上述した説明では、Ｓ１４１２において読取データを１８０度回転させる場合について説明したが、原稿の画像をスキャナ３によって読取る前に（Ｓ１４１０）、ＡＤＦ７によって搬送される原稿を、機械的な構成によって、１８０度回転させるように構成しても良い。
【０１３２】
次に、図１５を参照して、第６実施例の送信済画像の表示態様について説明する。尚、図１５は、図３（ｂ）あるいは図４に対応する図であり、重複部分には、同じ符号を付し、その説明は省略する。図６に示すＬＣＤ４１の長手方向の長さは、図３（ｂ）あるいは図４に示すＬＣＤ４１の長手方向の長さよりも２／３短く、その縦横比は３：８に構成されているものとする。但し、図中では、この縮尺は無視して図示している。
【０１３３】
図１５（ａ）に示すＬＣＤ４１のように、長手方向に所望の長さが確保できない場合、図３（ａ）と同じ情報を同じ大きさで表示した場合、送信済画像５２ｆは、例えば、ＦＡＸ送信欄５１の空きスペースに収まるように表示する。
【０１３４】
しかし、送信済画像５２ｆが小さい場合には、今回送信する原稿と比較する場合に、比較しずらい。そこで、この第６実施例は、ＬＣＤ４１内に拡大キー５２ｇを設け、この拡大キー５２ｇがユーザーによって押下された場合には、図１５（ｂ）に示すように、電話帳５０に表示されている情報の大きさは変えず、ＦＡＸ送信欄５１に表示される情報を非表示とし、送信済画像５２ｆを拡大して表示するものである。
【０１３５】
また、別な方法としては、、図１５（ｃ）に示すように、電話帳５０に表示されている情報の大きさは変えず、ＦＡＸ送信欄５１に表示される情報を縮小表示し、送信済画像５２ｆを拡大して表示するものである。
【０１３６】
この拡大キー５２ｇを設け、ユーザーの指示に応じて、送信済画像５２ｆを拡大して表示させることで、ＬＣＤ４１の長手方向に所望する長さが確保できない場合であっても、今回送信する原稿と送信済画像５２ｆとを見やすい状態で比較させることができる。また、電話帳５０に表示されている情報の大きさは変化させていないので、送信済画像５２ｆを拡大させる前後において、宛名の変更、選択の作業性に影響を及ぼすこともない。
【０１３７】
また、ＬＣＤ４１は、縦横比が３：８に構成されているので、例えば縦横比が３：２であるＡ４の原稿を原稿の短手方向がＬＣＤ４１の短手方向と平行で且つ最大になるように表示させたとしても、ＬＣＤ４１の長手方向には、依然として空きスペースが残っているので、電話帳５０やＦＡＸ送信欄５１を表示させるスペースを確保することができる。
【０１３８】
次に、上述した第６実施例の表示態様で送信済画像を表示させ、ＦＡＸデータを送信する第６実施例のＦＡＸ送信処理について説明する。図１６は、第６実施例のＦＡＸ送信処理を示すフローチャートである。図１６は、図５で説明した第１実施例のＦＡＸ送信処理に対応するフローチャートであり、第１実施例のＦＡＸ送信処理と重複するステップについては、簡略化して説明する。
【０１３９】
この処理では、まず、ＬＣＤ４１に電話帳を表示する（Ｓ１６０１）。表示された電話帳から所定の宛先が選択されたかを判断する（Ｓ１６０２）。宛先が選択されない場合には（Ｓ１６０２：Ｎｏ）、Ｓ１６０２の処理を繰り返し、宛先が選択された場合には（Ｓ１６０２：Ｙｅｓ）、その宛先にＦＡＸ送信をしたことがあるかを判断する（Ｓ１６０３）。
【０１４０】
ＦＡＸ送信したことがないと判断した場合には（Ｓ１６０３：Ｎｏ）、宛先を再選択するかを判断し（Ｓ１６０８）、再選択する場合には（Ｓ１６０８：Ｙｅｓ）、Ｓ１６０２の処理に移行し、再選択しない場合には（Ｓ１６０８：Ｎｏ）、後述するＳ１６１０の処理に移行する。一方、Ｓ１６０３において、ＦＡＸ送信したことがあると判断した場合には（Ｓ１６０３：Ｙｅｓ）、前回送信した送信済画像と、その送信済画像を送信した際のＦＡＸ送信設定とをＬＣＤ４１に表示する（Ｓ１６０４）。
【０１４１】
その後、ユーザーが拡大キー５２ｇが押下げられたかを判断する（Ｓ１６０５）。押下げられなかったと判断した場合には（Ｓ１６０５：Ｎｏ）、Ｓ１６０７の処理に移行し、押下げられたと判断した場合には（Ｓ１６０５：Ｙｅｓ）、電話帳部分は、そのままの大きさにし、ＦＡＸ送信設定を縮小し、送信済画像を拡大して表示し（Ｓ１６０６）、Ｓ１６０７の処理に以降する。
【０１４２】
そして、上述した実施例と同様に、Ｓ１６０７では、ユーザーは、表示された送信済画像と、今回送信する送信予定原稿とを比較して、送信予定原稿の宛先が選択した宛先で正しいかを判断する。尚、Ｓ１６０７以降の処理は、図５、図７等で説明した処理と同じなので、その説明は省略する。
【０１４３】
ユーザーが両画像を比較した結果を入力し、ユーザーの入力が送信予定原稿の宛先が選択した宛先で正しくない（誤っていた）ことを示した場合には（Ｓ１６０７：Ｎｏ）、宛先を再選択するかを判断し（Ｓ１６０９）、宛先を再選択する場合には（Ｓ１６０９：Ｙｅｓ）、Ｓ１６０２の処理に移行し、宛先を再選択しない場合には（Ｓ１６０９：Ｎｏ）、Ｓ１６１０の処理に移行する。一方、Ｓ１６０７の処理において、ユーザーの入力が選択した宛先が正しいことを示せば（Ｓ１６０７：Ｙｅｓ）、前回と同じＦＡＸ送信設定でＯＫかをユーザーに通知し、ユーザーからの入力を判断する（Ｓ１６１０）。これ以降のＳ１６１０〜Ｓ１６１５までの処理は、図５に示すＳ５０８〜Ｓ５１３までの処理と同じ処理なので、その説明は省略する。
【０１４４】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１４５】
上述した実施例では、ＦＡＸ送信したＦＡＸデータの全てを宛先、日時データ等の所定の情報と対応付けた上で、送信済ファクシミリデータメモリ２４ｂに記憶する場合について説明したが、送信したＦＡＸデータの全部を送信済ファクシミリデータメモリ２４ｂに記憶させる必要はない。例えば、送信したＦＡＸデータを保存するかをユーザーに通知し、ユーザーが保存すると判断し、その旨を入力した場合にだけ、送信済のＦＡＸデータを記憶するようにしても良い。また、ユーザーに保存の要否を問い合わせることなく、例えば、最も最新のＦＡＸデータだけを保存、または、最も最新のＦＡＸデータと合わせて合計５つのＦＡＸデータだけを保存するように自動的に制御するように構成しても良い。かかる場合には、全部のＦＡＸデータを保存する場合に比べ、送信済ファクシミリデータメモリ２４ｂの必要記憶容量を抑制することができる。
【０１４６】
また、上述した実施例では、送信済画像、宛先、ＦＡＸ送信設定等をＬＣＤ４１に表示して出力する場合について説明したが、ＬＣＤ４１に代えて、これらの送信済画像、宛先、ＦＡＸ送信設定等を記録媒体に記録して出力させるようにしても良い。かかる場合には、ＬＣＤ４１に表示させて出力するよりも、大きく出力させることができる。
【０１４７】
また、上述した実施例では、相手側装置に送信するデータをファクシミリ手順に沿って送信する場合について説明したが、相手側装置に送信するデータの手順としては、電子メール、ＳＭＢ、ＦＴＰ、ＨＴＴＰ等の通信手順に沿ってデータを送信するようにしても良い。
【図面の簡単な説明】
【０１４８】
【図１】複合機の外観斜視図である。
【図２】複合機の電気的構成を示すブロック図である。
【図３】第１実施例の送信済画像の表示態様を説明するための図である。
【図４】第１実施例の送信済画像の表示態様を説明するための図である。
【図５】第１実施例のＦＡＸ送信処理を示すフローチャートである。
【図６】第２実施例の送信済画像の表示態様を説明するための図である。
【図７】第２実施例のＦＡＸ送信処理を示すフローチャートである。
【図８】第３実施例の送信済画像の表示態様を説明するための図である。
【図９】第３実施例のＦＡＸ送信処理を示すフローチャートである。
【図１０】第４実施例の送信済画像の表示態様を説明するための図である。
【図１１】第４実施例のＦＡＸ送信処理を示すフローチャートである。
【図１２】被覆部材の変形例を説明するための複合機の外観斜視図である。
【図１３】第５実施例のＦＡＸ送信処理を説明するための図である。
【図１４】第５実施例のＦＡＸ送信処理を示すフローチャートである
【図１５】第６実施例の送信済画像の表示態様を説明するための図である。
【図１６】第６実施例のＦＡＸ送信処理を示すフローチャートである。
【符号の説明】
【０１４９】
１          複合機（通信装置）
４０        操作キー（入力手段の一部）
３１        ＮＣＵ（送信手段の一部）
２４ｂ      送信済ＦＡＸデータメモリ（送信済データ記憶手段）
４１        ＬＣＤ（出力手段）
Ｓ５０４    出力制御手段
Ｓ７０４    出力制御手段
Ｓ９０７    出力制御手段
Ｓ１１０８  出力制御手段
Ｓ１４０４  出力制御手段
Ｓ１６０６  出力制御手段
２４ａ      電話帳メモリ（宛先データ記憶手段）
３スキャナ  読取手段
Ｓ９０１    検出手段
１０        被覆部材
７          ＡＤＦ（搬送装置）
Ｓ１４１２  回転手段
５２ｇ      拡大キー（指示手段）
【図１】
2008131223.tif 000003
【図２】
2008131223.tif 000004
【図３】
2008131223.tif 000005
【図４】
2008131223.tif 000006
【図５】
2008131223.tif 000007
【図６】
2008131223.tif 000008
【図７】
2008131223.tif 000009
【図８】
2008131223.tif 000010
【図９】
2008131223.tif 000011
【図１０】
2008131223.tif 000012
【図１１】
2008131223.tif 000013
【図１２】
2008131223.tif 000014
【図１３】
2008131223.tif 000015
【図１４】
2008131223.tif 000016
【図１５】
2008131223.tif 000017
【図１６】
2008131223.tif 000018